【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
エアバッグカーテンの第１縁部を該エアバッグカーテンの第１側面に隣接する位置へ折り畳むことで折畳部を形成する折畳工程と、エアバッグカーテンの第２縁部を該エアバッグカーテンの第１縁部へ向けて巻くことでエアバッグカーテンの巻部を形成する巻き工程とを備えるエアバッグカーテンの折畳方法。
【請求項２】
前記折畳工程がエアバッグカーテンを該エアバッグカーテンの幅の約２分の１から約２０分の１までの間の分だけエアバッグカーテンの第１側面に隣接する位置へ折り畳む工程を備える請求項１に記載のエアバッグカーテンの折畳方法。
【請求項３】
前記折畳工程がエアバッグカーテンを該エアバッグカーテンの幅の約６分の１だけエアバッグカーテンの第１側面に隣接する位置へ折り畳む工程を備える請求項１に記載のエアバッグカーテンの折畳方法。
【請求項４】
前記折畳部の幅が約１０ｍｍから約１５０ｍｍまでの間の幅である請求項１に記載のエアバッグカーテンの折畳方法。
【請求項５】
前記折畳部の幅が約４６ｍｍよりも小さい幅である請求項１に記載のエアバッグカーテンの折畳方法。
【請求項６】
前記巻部がエアバッグカーテンの同じ側面上で前記折畳部に実質的に隣接して配置される請求項１に記載のエアバッグカーテンの折畳方法。
【請求項７】
前記巻き工程がエアバッグカーテンの第２縁部を該エアバッグカーテンの第２側面に隣接するように巻く工程を備える請求項１に記載のエアバッグカーテンの折畳方法。
【請求項８】
前記巻部がエアバッグカーテンの反対側の側面上で前記折畳部に実質的に隣接して配置される請求項７に記載のエアバッグカーテンの折畳方法。
【請求項９】
前記巻き工程が前記巻部の高さが前記折畳部の幅と実質的に等しくなるまでエアバッグカーテンの第２縁部を該エアバッグカーテンの第２側面に向かって巻く工程を備える請求項１に記載のエアバッグカーテンの折畳方法。
【請求項１０】
前記巻部の高さが１０ｍｍから１５０ｍｍまでの間の高さである請求項１に記載のエアバッグカーテンの折畳方法。
【請求項１１】
前記巻部の高さが約４６ｍｍよりも小さい高さである請求項１に記載のエアバッグカーテンの折畳方法。
【請求項１２】
前記巻部の幅が約３ｍｍから約５０ｍｍまでの間の幅である請求項１に記載のエアバッグカーテンの折畳方法。
【請求項１３】
前記巻部の幅が約２６ｍｍよりも小さい幅である請求項１に記載のエアバッグカーテンの折畳方法。
【請求項１４】
エアバッグカーテンを折畳面上に接するように載置する載置工程をさらに備える請求項１に記載のエアバッグカーテンの折畳方法。
【請求項１５】
前記載置工程が吸引によってエアバッグカーテンを前記折畳面に固定する工程を備える請求項１４に記載のエアバッグカーテンの折畳方法。
【請求項１６】
エアバッグカーテンが該エアバッグカーテンの第１縁部に隣接して取着された第１テザーを備える請求項１に記載のエアバッグカーテンの折畳方法。
【請求項１７】
エアバッグカーテンの周辺部の内部に前記第１テザーの一部を配置する工程をさらに備える請求項１６に記載のエアバッグカーテンの折畳方法。
【請求項１８】
前記第１テザーの第２端をエアバッグカーテンの側縁部に実質的に隣接するように配置することによってエアバッグカーテンが巻かれた後に前記第２端を取出可能とする工程をさらに備える請求項１６に記載のエアバッグカーテンの折畳方法。
【請求項１９】
エアバッグカーテンが該エアバッグカーテンの第１縁部を越えて延びる連結タブを備える請求項１に記載のエアバッグカーテンの折畳方法。
【請求項２０】
前記連結タブがパッケージングされたエアバッグカーテンを車両に取着可能とするようにエアバッグカーテンの巻部を越えて延びる請求項１９に記載のエアバッグカーテンの折畳方法。
【請求項２１】
エアバッグカーテンの第１縁部を該エアバッグカーテンの第１側面に隣接する位置へ折り畳むことで折畳部を形成する折畳工程と、エアバッグカーテンの第２縁部を該エアバッグカーテンの第１縁部へ向けて巻くことで前記折畳部と反対側の側面であるエアバッグカーテンの第２側面に隣接するようにエアバッグカーテンの巻部を形成する巻き工程とを備えるエアバッグカーテンの折畳方法。
【請求項２２】
前記折畳工程がエアバッグカーテンの幅の約２分の１から約２０分の１までの間の分だけエアバッグカーテンの第１側面に隣接する位置へ折り畳む工程を備える請求項２１に記載のエアバッグカーテンの折畳方法。
【請求項２３】
前記折畳工程がエアバッグカーテンの幅の約６分の１だけエアバッグカーテンの第１側面に隣接する位置へ折り畳む工程を備える請求項２２に記載のエアバッグカーテンの折畳方法。
【請求項２４】
前記折畳部の幅が約１０ｍｍから約１５０ｍｍまでの間の幅である請求項２３に記載のエアバッグカーテンの折畳方法。
【請求項２５】
前記巻き工程が前記巻部の高さが前記折畳部の幅と実質的に等しくなるまでエアバッグカーテンの第２縁部を該エアバッグカーテンの第２側面に向かって巻く工程を備える請求項２１に記載のエアバッグカーテンの折畳方法。
【請求項２６】
前記巻部の高さが１０ｍｍから１５０ｍｍまでの間の高さである請求項２５に記載のエアバッグカーテンの折畳方法。
【請求項２７】
前記巻部の幅が約３ｍｍから約５０ｍｍまでの間の幅である請求項２５に記載のエアバッグカーテンの折畳方法。
【請求項２８】
エアバッグカーテンが該エアバッグカーテンの第１縁部に隣接して取着された第１テザーを備える請求項２１に記載のエアバッグカーテンの折畳方法。
【請求項２９】
前記巻き工程よりも前にエアバッグカーテンの周辺部の内部に前記第１テザーの一部を配置ことによってエアバッグカーテンが巻かれた後に前記第１テザーの第２端を取出可能とする工程をさらに備える請求項２８に記載のエアバッグカーテンの折畳方法。
【請求項３０】
エアバッグカーテンが該エアバッグカーテンの第１縁部を越えて延びる連結タブを備える請求項２１に記載のエアバッグカーテンの折畳方法。
【請求項３１】
前記連結タブがパッケージングされたエアバッグカーテンを車両に取着可能とするように前記巻部を越えて延びる請求項３０に記載のエアバッグカーテンの折畳方法。
【請求項３２】
第１側面と第２側面とを有するエアバッグカーテンと、該エアバッグカーテンの第１側面に隣接する折畳部と、該折畳部とは反対側の巻部とを備えるエアバッグカーテンの折畳構造。
【請求項３３】
前記巻部がエアバッグカーテンの第２側面に隣接して配置されている請求項３２に記載のエアバッグカーテンの折畳構造。
【請求項３４】
前記巻部がエアバッグカーテンの第１側面に隣接して配置されている請求項３２に記載のエアバッグカーテンの折畳構造。
【請求項３５】
前記折畳部と巻部とがエアバッグカーテンの折目部で互いに反対側の側面上に配置されている請求項３２に記載のエアバッグカーテンの折畳構造。
【請求項３６】
エアバッグカーテンが該エアバッグカーテンの第１縁部に隣接する膨張路を備える請求項３２に記載のエアバッグカーテンの折畳構造。
【請求項３７】
前記折畳部の幅がエアバッグカーテンの幅の約２分の１から約２０分の１までの間の幅である請求項３２に記載のエアバッグカーテンの折畳構造。
【請求項３８】
前記折畳部がエアバッグカーテンの第１側面に隣接して該エアバッグカーテンの幅の約６分の１の幅を有する請求項３７に記載のエアバッグカーテンの折畳構造。
【請求項３９】
前記折畳部の幅が約１０ｍｍから約１５０ｍｍまでの間の幅である請求項３２に記載のエアバッグカーテンの折畳構造。
【請求項４０】
前記折畳部の幅が約４６ｍｍよりも小さい幅である請求項３２に記載のエアバッグカーテンの折畳構造。
【請求項４１】
前記巻部の高さが前記折畳部の幅と実質的に等しい高さである請求項３２に記載のエアバッグカーテンの折畳構造。
【請求項４２】
前記巻部の高さが約１０ｍｍから約１５０ｍｍまでの間の高さである請求項３２に記載のエアバッグカーテンの折畳構造。
【請求項４３】
前記巻部の高さが約４６ｍｍよりも小さい高さである請求項３２に記載のエアバッグカーテンの折畳構造。
【請求項４４】
前記巻部の幅が約３ｍｍから約５０ｍｍまでの間の幅である請求項３２に記載のエアバッグカーテンの折畳構造。
【請求項４５】
前記巻部の幅が約２６ｍｍよりも小さい幅である請求項３２に記載のエアバッグカーテンの折畳構造。
【請求項４６】
エアバッグカーテンが該エアバッグカーテンの第１縁部に隣接して取着される第１端を備えた第１テザーを備える請求項３２に記載のエアバッグカーテンの折畳構造。
【請求項４７】
前記第１テザーの一部が前記巻部の内部に配置されている請求項４６に記載のエアバッグカーテンの折畳構造。
【請求項４８】
前記テザーの第２端がエアバッグカーテンの側縁部に実質的に隣接して配置され、これにより、エアバッグカーテンがパッケージングされた後に前記第２端を取出可能となっている請求項４７に記載のエアバッグカーテンの折畳構造。
【請求項４９】
パッケージングされたエアバッグクッションを車両に取着可能とするようにエアバッグカーテンが該エアバッグカーテンの第１縁部を越えて延びると共に前記巻部を越えて延びる連結タブを備える請求項３２に記載のエアバッグカーテンの折畳構造。
【請求項５０】
２つのエアバッグカーテンを備え、各エアバッグカーテンが第１側面および第２側面を有し、各エアバッグカーテンの第１側面に隣接して折畳部を有すると共に各エアバッグカーテンの第２側面に隣接して前記折畳部と反対側の側面上に巻部を有する請求項３２に記載のエアバッグカーテンの折畳構造。